Podtech/llm-jp-corpus-v4-ja_patent huggingface dataset:
(57)【要約】      （修正有）【課題】雨を伴う強風時には、これまでの傘は反り返って壊れたり、或いは人間が引張られて転んで怪我をしたりと、まともにさしておれなかった。それで傘の骨の本数を増やして丈夫にしてみたら、反り返り難くなったものの人間の引張られは益々増え。さしている人間の安全面からは、却ってよくない側面がある。【解決手段】傘本体１の中央に窓２を開けて、入り込んでくる風に逆らわず逃がしてやようにした。この窓２は窓カバー３により雨を防ぎ、風による浮上自在に装着し、飛散は鍔５を付けたキャップ４で防止するように構成した。窓カバー３の浮き上りで風を逃がすので、さしている人間が引張られてしまうことはなくなった。【選択図】図１
2010046468.tif 000002
【特許請求の範囲】
【請求項１】
傘本体に窓を開け、この窓に窓カバーを配したことを特徴とする傘。
【発明の詳細な説明】
【技術分野】
【０００１】  この発明は、傘本体に窓を開け、この窓に対応させた窓カバーを、浮遊自在に取付けた傘に関するものである。
【背景技術】
【０００２】  これまでの傘は防水本位に作られており、風を伴う暴風雨時には使いづらかった。反返ったり骨が壊れたりすることが多かった。傘に引張られて転ぶ場合もあった。
【発明の開示】
【発明が解決しようとする課題】
【０００３】  このような傘の損傷や、引張られによる転倒の危険などは、傘の内部に吹き込んだ風の圧力によって、生じたものである。
この風圧に対処するため、骨の強度を上げたり、本数を増やしたりして、一定の効果を上げたように見えるが、安全という面からは、大いに問題がある。
傘が反返った時は風が逃がされ、人間は雨に濡れても、引きずられ転倒することは殆どなかったが、反返りがなくった時には、傘の内部の風圧は極めて強となり、柄を握っていては傘もろともに人間も吹き飛ばされる危険が増大した。
強い風雨に耐えられる傘の頑丈さと人間の安全の確保とは、両立し難い命題ではあるが、ここに逆転の発想があった。本発明は、これを簡単に解決した。
【問題を解決するための手段】
【０００４】  それは風を逃がすことであった。頑丈さを追求するのではなく、風を逃がすという新しい方法で、難問を簡単に解決することに成功した。
次のような手段を発見したのである。
（イ）傘本体に窓を開ける。これは傘に入り込んだ風を外へ逃がすためである。
（ロ）この窓の上方に窓カバーを装着する。雨水を防ぐためであり、窓よりも広く大きい。装着は傘の柄を介して行う。
（ハ）窓カバーには柄を通るための孔が開けてあり、左右へのずれを防ぐことは出来るが、風圧で浮き上った時の飛散防止は難しい。
（ニ）飛散防止のためには、石突（イシヅキ）を利用すればよい。ここにゴムや合成樹脂などで作られ、鍔などの出張った部分のあるキャップを、きつく嵌めてあれば、風の逃げ道として浮き上った窓カバーが、出っ張りで邪魔されて吹き跳んでしまうことはない。
（ホ）窓の大きさや形状は傘に応じて自由であり、窓カバーも同様である。窓カバーの素材は、布、ビニールなどでよく、加工や取付けは容易である。更に、窓カバーの外周の数ヶ所に切込みを施しておくと、風の排出が一段と良くなる。
（ヘ）尚、窓カバーは、雨が降れば傘全体に密着して水洩れは起きないし傘の骨の上に載るので、雨水の重みでへこむこともない。
（ト）窓カバー飛散防止のキャップの内側と、キャップを締める柄の外側に、互いに対応するネジを切っておいた場合には、窓カバーの交換が容易に行える。
【発明の効果】
【０００５】  この発明の要素は、風を逃がすための窓と窓からの雨水を防ぐ浮上自在な窓カバーとであるが、窓カバーは、布やビニールなどでよく、傘の天頂部に集中してくる風の圧力で、簡単に押し上げられて、傘本体との間に隙間が生じる。この隙間から吹き込んだ風が、速かに外へ排出される。
このようであるから、風圧で傘がぐらつき、さしている人間が前後左右に揺り動かされるという、従来の傘のもつ危険がない。非力な子供や女子、高齢者がさしていても安全が保たれる。又、傘が飛ばされて他人に迷惑を及ぼす心配もなくなった。更に、傘の骨の本数を増やす必要もなく、安全であり、しかも安い傘を提供できることが実現した。
【発明を実施するための最良の形態】
【０００６】  この発明の主眼である窓は、風の排出効率からは傘の柄を中心として円形に開けるのがよい。窓の大きさは、傘を開いた時の形や大きさを考慮して決める。窓カバーの大きさや形は、開けられた窓に応じて決まる。雨が洩れぬようように十分な大きさが必要である。又、中心には傘の柄を通ることが出来るような寸法の孔が、切り抜かれている。これを上からキャップで締める。
柄を通された窓カバーは、傘の骨の上に乗り、下から吹き上がる風によって浮遊自在となるが、石突のキャップの鍔に引掛かって上に抜けてしまうことはない。
キャップの内側には雌ネジ、石突には雄ネジを切って、キャップを着脱自在にしておけば、窓カバーが傷んだ折などに交換が便利である。
尚、傘をささぬ時のため、窓カバーの垂れ下り防止策としては、次のようにすればよい。
疊んだ傘の窓カバーを一周する帶を作り、両端にホック一組を凹凸別々に取り付ける。この帶を窓カバーに予め装着しておく。傘をさす時にはホックを外すだけでよく、疊む時にもホックを嵌めるだけでよいという簡単さである。
【図面の簡単な説明】
【０００７】
【図１】  本発明の実施の一例を示す側面図である。窓カバー２を外した図である。
【図２】  図１に窓カバー２を付けた側面図である。
【図３】  本発明の窓カバーの一例の平面図である。
【符号の説明】
【０００８】  １  傘本体
２  窓
３  窓カバー
４  キャップ
５  キャップの鍔
６  切り込ミ
７  柄
【図１】
2010046468.tif 000003
【図２】
2010046468.tif 000004
【図３】
2010046468.tif 000005
(57)【要約】      （修正有）【課題】現代社会の地上、水面に発生した特定化学物質を含む気体、液体の災害防止策の用材を低コストで効率的に提供でき、災害から人命、安全を守ることを目的とする災害防止材を提供する。【解決手段】珪藻土は、超微細孔を有し、吸収性機能を有するため、有害物の複合効果作用、溶解性の有機物に分解作用の存在効果により、複雑化した災害時の防災防止用材に適用する。珪藻土の多孔質に有害な気体、液体、可燃物質を含有させ、吸着保持、有機物の分解を可能とし、様々な自然災害、人的災害から人命、環境を守ることができ、安心、安全な住環境を提供することができる災害防止材。【選択図】なし【特許請求の範囲】
【請求項１】
可燃物液体、気体、特定化学物質処理に、多孔質シリカを持つ珪藻土を結びつけた構造を特徴とした発明である。
【請求項２】
用途に応じて、対象物体積パーセントを多孔質のシリカを持つ珪藻土焼成体積パーセントで覆った顆粒、粉末の混合構造を接触させることで、対象物が処理回収される。散布水没により分解せすめ災害防止なることを特徴とする。
【発明の詳細な説明】
【技術分野】
【０００１】本発明は、災害防止方法に関するものである。
【背景技術】
【０００２】災害対応については、数多くの提案がなされ、実用されているものの、対象物の無害化されるまでには、大量の水と大量の中和剤を散布する必要がある。手間や諸費のコスト面において単体対応をしているために、かかり過ぎ、高額であることが指摘されている。
【発明の開示】
【発明が解決しようとする課題】
【０００３】本発明は、自然災害や人的災害に関する緊急災害に有効にかつ効率的な方法開発を目的として、鋭意研究を重ねた結果、珪藻土焼成粒、粉末の有効活用に効果のあることが確認された。【０００４】気体の発生抑制、液体処理、水面火災の消火に関しては、珪藻土焼成粒を散布し、水没することにより災害が防止される。【０００５】珪藻土は、秋田県北秋田市産地の品質の良さで有名な珪藻土を用いることが好ましい。
【課題を解決するための手段】
【０００６】本発明は、災害防止材として珪藻土の細孔部に保持をさせ、対象物との相乗効果で分解作用効果の発揮を特徴とした。【０００７】さらに本発明の災害防止材に持続的効果の得られることが発見された。
【発明の効果】
【０００８】珪藻土焼成粒の散布によって災害防止ができる。【０００９】本発明での処理物は、水処理によって災害回避ができる。【００１０】珪藻土の独自効果機能が災害防止緊急対策に効果がある。【００１１】災害時の周辺衛生環境に考慮ができた。
【発明を実施するための最良の形態】
【００１２】本発明の実施形態は、災害時に多目的に活用できることを特徴とする。【００１３】珪藻土は、超微細孔を有し、吸収性に最大の機能が発揮され、有害物の複合効果作用、溶解性の有機物に分解作用の存在効果があり、複雑化した災害時の防災防止用材に最適である。【００１４】珪藻土焼成粒は、対象物を処理しても処理しない状態であっても水中に沈むことから、対象物を吸収し、引火性のガス、特定化学物質のガスをも水中に封じこめることにより低減され、消火作用が働き、安全、安心な災害防止の構造にしたことを特徴とする。
【産業上の利用可能性】
【００１５】本発明は、可燃性液体、特定化学物質の可燃性液体または有害ガスの発生した地上、水面の流出事故による災害においては、特段機能の発揮が出来る。【００１６】様々な自然災害、人的災害から人命、環境を守ることができ、安心、安全な住環境の提供に関する。
(57)【要約】【課題】    マニキュア及びネイルエナメルを塗布する際に、それぞれの指と爪の位置を安定させることにより塗布を容易にする指先安定具を提供する。【解決手段】  親指固定部（１）と他４指固定部（２）を設けた形状を特徴とする。【選択図】図１
2010046465.tif 000002
【特許請求の範囲】
【請求項１】
親指固定部（１）と他４指固定部（２）を設けた形状を特徴とするマニキュア及びネイルエナメル塗布時の指先安定具。
【発明の詳細な説明】
【技術分野】
【０００１】この発明は、マニキュア及びネイルエナメルを塗布する際に、それぞれの指と爪の位置を安定させることにより塗布を容易にする、マニキュア及びネイルエナメル塗布時の指先安定具に関するものである。
【背景技術】
【０００２】従来より、マニキュア及びネイルエナメルを塗布する際は、手をかざしたり指を曲げて（図３）目の前にもってくるか、指先を安定させるために机上に手を置いて行うなどの方法がとられている。
【発明の開示】
【発明が解決しようとする課題】
【０００３】しかしながら、問題点は次の通り、
イ、手を目の前にかざしたり、指を曲げる（図３）といった状態では指先が微妙に動くなど不安定で塗りにくく塗ムラになりやすい。
ロ、隣りあった指はある程度広げた状態を保っていないといけないのだが、片手５指を塗布する間に広げた状態で保つのは難しいため触れ合ってしまい、その部分の塗料が他へ付着したり剥がれたりすることが起こっていた。
ハ、手を広げ机上に置いて行う場合は安定感はあるのだが、親指の爪（３）が側面に位置する（図４）ことになり塗りにくい。
ニ、机の位置が固定されているので細かい作業では目線を近付けるなどの動作を多々要することになる。
そこで、この発明は以上の問題点を解決することを課題とする。
【課題を解決するための手段】
【０００４】以上の課題を解決するために、
親指固定部（１）と他４指固定部（２）を設けた形状を特徴とするマニキュア及びネイルエナメル塗布時の指先安定具である。
【発明の効果】
【０００５】この発明によれば各指先が適当な間隔をとって固定され、その状態を安定して保つことができ、塗布が容易になる。
また、塗りやすい距離や角度も好みに応じて自由に動かせるため、塗布時間も短くなる。これらにより細工などを施した細かな装飾作業にも対応できる。
【発明を実施するための最良の形態】
【０００６】以下、この発明を実施するための最良の形態について説明する。
本体は円柱形の親指固定部（１）に把手型の他４指固定部（２）からなる。
使用する際は、親指固定部（１）親指をかけて握り、残りの指は他４指固定部（２）に第一関節または第２関節を曲げ引っ掛けるようにして、隣り合う指と指は適度な間隔があくように広げて指先を安定させる。（図１）
【図面の簡単な説明】
【０００７】
【図１】本発明の使用例図
【図２】本発明の斜視図
【図３】従来の行動例図
【図４】従来の行動例図
【符号の説明】
【０００８】（１）親指固定部
（２）他４指固定部
（３）爪
【図１】
2010046465.tif 000003
【図２】
2010046465.tif 000004
【図３】
2010046465.tif 000005
【図４】
2010046465.tif 000006
(57)【要約】      （修正有）【課題】患者の大・小便等で股間が汚れて、悪臭や皮膚のただれ等を取り除く洗浄を行い清潔にして健康を守り、尚且つ安全な患者用ゴムおむつ（排泄具）を提供する。【解決手段】ゴムおむつ１の内側にゴムの管を輪の形にし、ゴムおむつ１内の患者の大便出口下に排出口４を設け、小便出口上に、洗浄水出口５を設け、排出口４と洗浄水出口５の周りに接着して取り付け、患者の体の股間をゴムおむつ１で締めゴム管内の空気圧を利用しゴムの伸縮も利用して、股間に密着させて、大便と小便をゴムおむつ１内のゴムの管を取り付けた輪の外側に漏れを防ぎ洗浄水（温水、水）で大・小便を洗浄を行い排水出口から接続したパイプで排水させて患者の股間内を清潔にする事ができる。又、洗浄水出口５に接続するパイプに温風乾燥等を接続させ洗浄後で股間内を乾燥させる。【選択図】図１
2010046459.tif 000002
【特許請求の範囲】
【請求項１】
ゴムおむつ（１）の内側に、ゴムの管（２）を輪にして接着しゴムの管（２）内の空気圧と、ゴムの伸縮を利用し患者の体（股間）に密着させて腰に締め（３）、大・小便を外に漏らさせないゴムおむつ（１）で患者の股間の、大便出口下に、排水口（４）を設け、小便出口上に洗浄水出口（５）を設けて、その周りをゴムおむつ（１）内側に、ゴムの管（２）の輪を接着、洗浄し外部に漏らさずに排出させる患者用おむつ（排泄具）。
【発明の詳細な説明】
【技術分野】
【０００１】この発明は、患者の大・小便を外部に漏らさずに、患者の股間を清潔にするおむつ（排泄具）に関するものである。
【背景技術】
【０００２】従来、看護を必要とする患者が使用しているおむつは、一定量の容量を超えた時や、股間からずれた時、寝具や、寝巻き等を濡らし汚す事が多く、患者本人のストレスと、看護人が患者の要求で汚れの取り替え等で、夜も眠れず睡眠不足や重労働、ストレス等大変な負担になっていた。
【発明の開示】
【発明が解決しようとする課題】
【０００３】これには次のような問題点があった。
（イ）患者はおむつを、使用しているが、大・小便の汚れは股間から腰を汚し背中をも汚し、その為に患者は取り替えを要求しても思うようにならず濡れた体は、体力と体温を奪い、病気の原因に成りやすく患者本人がストレス等から怒り出す要因もある。
（ロ）患者を介護、看護者が股間の汚れ、臭い等を清潔にする為に労力と、辛労と睡眠不足や、ストレス等から怒り出す要因もある。
（ハ）患者が、おむつを使用しながら、寝具や下着等を取り替える負担汚れや臭い等、患者、看護者にストレス等から自殺者を出す要因に成っている。
【課題を解決するために】
【０００４】ゴムおむつ（１）の内側に、大・小便を漏らさないようゴムの管（２）を輪にし、大便出口下に排水口（４）を設け、小便出口上に洗浄水の出口（５）を設け、（４）と（５）の周りに、接着して取り付け、ゴム管内の空気圧とゴムの伸縮を利用し、患者の股間に合わせ、締具（３）で、腰に取り付けて大・小便の漏れを防ぐ、患者用おむつ（排泄具）で大。小便の排泄時、排泄後、洗浄を、小便出口上の洗浄水の出口（５）にゴムパイプを接続し洗浄を行い、洗浄水は大便出口下の排出口（４）にゴムパイプ及びパイプ等で接続し排水を行い、患者のおむつ内股間を清潔にする事ができる。又、温風等、股間内を、乾燥もできるようにした
本発明は、以上のような構成による。
患者用大・小便のおむつ（排泄具）である。
【発明の効果】
【０００５】患者用おむつを必要とするゴムおむつ（１）は、患者の股間の汚れを清潔にし、患者と介護、看護者の体力の負担と労力の負担を少しでも減らすように、患者の腰に、股間にゴムおむつ（１）を取り付けて締め、大・小便を外部に漏らさないようにゴムおむつ（１）の内側に、ゴムの管（２）を輪にし、大便出口下に排水口（４）を設け、小便出口上に洗浄水出口（５）を設け、周りにゴムの輪を接着して取り付け、ゴム管の中の空気圧と、ゴムの伸縮を利用し、患者の体、股間に密着させて腰に締め（３）、ゴム管の圧力で大・小便の漏れを防ぎ、大・小便を洗浄し、排出させ、股間を清潔に、又乾燥もできるようにし、患者本人、介護者が簡単に洗浄をできるようにして介護者のストレスや、労力の負担を軽くし患者にも同じ効果がある。
【発明を実施する為の最良の形態】
【０００６】以下、本発明の実施例について説明する。
患者自身が、大・小便を安心して何時でも使用できる。
患者の股間に、ゴムおむつ（１）の内側に、大・小便を漏らさないようにゴムの管（２）の輪を接着させて取り付け、ゴム管（２）内の空気圧とゴムの伸縮を利用して、体の股間に密着させて腰に締め（３）ゴムおむつ（１）内側のゴムの管（２）の輪の中患者の大便出口下に排出口（４）を設け、小便出口上に、洗浄水出口（５）を設けて、大・小便を洗浄するパイプを接続させて、洗浄水を流して洗浄させ、洗浄水は、大便出口下の排出口（４）に接続させてゴムパイプで排水溝等へ排出させて患者の庫館内を清潔にできた。
又、股間内に温風を送り乾燥して清潔にし患者をストレスから守り、介護、看護人の労力とストレス等負担を軽くする事ができた。
【図面の簡単な説明】
【０００７】
【図１】  本発明の患者用ゴムおむつ（排泄具）である。Ａ  ゴムおむつを上部からの平面図  Ｂ  ゴムおむつを前部からの正面図  Ｃ  ゴムおむつを後部からの正面図
【図２】  本発明の患者用ゴムおむつを、患者に使用状態を上部からの平面図である。
【符号の説明】
【０００８】（１）  ゴムおむつ
（２）  ゴムの管（輪）
（３）  ゴムおむつの締め具
（イ−ロ）（ハ−ニ）
（４）  ゴムおむつの排出口及びパイプ（接続）
（５）  ゴムおむつの洗浄水出口及びパイプ（接続）  （８−９）
（６）  接続用排出パイプ  （４）に接続
（７）  接続用洗浄水温風乾燥パイプ  （５）と接続
（８）  温水器（ガス湯沸）上
（９）  温風器            下
【図１】
2010046459.tif 000003
【図２】
2010046459.tif 000004
(57)【要約】      （修正有）【課題】タバコの煙などを吸引除去する吸煙機能を兼備した傘を提供する。喫煙中のタバコの煙などを吸引除去し、フィルターで清浄化できるようにする。【解決手段】通気孔２を有する傘１の上部に、フード３、フィルター４とファン５を備える。傘の下で喫煙により発生した煙を含む外気を傘１で捕集し、通気孔２からフード３内へ導き、フィルター４を通過させて清浄化し、この清浄した空気をファン５を解して吹出口６から周辺へ拡散させる。煙は本体傘１で効率よく捕集できるので、煙が周囲に拡散し汚染するのを防止できる。【選択図】図１
2010046456.tif 000002
【特許請求の範囲】
【請求項１】
本体傘１と、本体傘１の頂部に通気孔２が設けられ、本体１の上部に備えられたフード３を介してフィルター４を通して清浄された空気をファン５により洗浄した空気を吹出口６から排出する空気吹出手段を備えてあることを特徴とするタバコフィルター。
【請求項２】
前記空気吹出手段が、本体傘１の頂部に開孔した通気孔２を通して傘内部の煙を含む外気を、フィルター４を通し清浄にして空気をファン５に効率よく導くために、傘のシート外面とのシールを行うスカートが備えてあるフード３を備えてあることを特徴とするタバコフィルター。
【発明の詳細な説明】
【技術分野】
【０００１】  本発明は、タバコの煙を掃気するタバコフィルターに関するものである。
【背景技術】
【０００２】  室内に漂っているタバコの煙は、ファン式の空気清浄機で吸引除去されている。
【発明の開示】
【発明が解決しようとする課題】
【０００３】  本発明が解決しようとする課題は、喫煙者の吐く主流煙やタバコの先からの副流煙が空気清浄機に吸引される前に周囲の人が吸わされることや周囲に拡がり室内を汚すことになる。【０００４】  本発明の目的は、このような問題点を解決するために、煙が拡散する前に効率良く捕集しフィルターを通過させるものである。
【課題を解決するための手段】
【０００６】  前記の課題を解決するため、本発明のタバコフィルターは、頂部に通気孔２を開けた傘１の下で喫煙により発生した煙を外気と共に頂部に設けられた通気孔２を通し、フードを介してフィルター４を通し浄化させたものをファン５へ導き吹出口６から周囲へ拡散させることを特徴とする。
【発明の効果】
【００７】  本発明によれば、喫煙者の吐く主流煙やタバコの先からの副流煙が空気清浄機に吸引される前に周囲の人が吸わされることが減り不快を与えず済み、周囲への拡がりを抑えることで室内の汚れを軽減できる。【００８】  傘のシートに透明なものを使用することで、周囲の人への不快を与えずに室内でテレビを見ながら喫煙ができる。
【発明を実施するための最良の形態】
【０００９】  本発明に係る実施例を図３に基づき説明する。
図１はタバコフィルターの断面図、図２はタバコフィルターの斜視図、図３はタバコフィルターの分解斜視図である。【００１０】  傘１は、開閉式のものが良く、使用しないとき場所をとらないため収納に適している。シートの材質は、透明性であれば、使用しながらテレビを見ることができる。傘の大きさは、６００ｍｍから７００ｍｍ、傘の開き角度が８５°から９５□程度のものが、煙の捕集効率が良い。【００１１】  傘１の頂部の通気孔２は、傘が開いた時にフードのスカートでシールされる内側に開孔する。【００１２】  フード３は、傘が開いたとき、フード下部スカートと傘のシートが合わさり、傘内部から煙を含む外気がフードを介してファンへ導かれるようにする。フード下部スカートの材質は、柔軟性に富んだ軟質シートが適している。【００１３】  フィルター４の材質は、ろ紙、ろ布、不織布シートなどが使用できる。交換が容易なように粘着シートで貼合せる方式、枠で固定する方式が適している。【００１４】  ファン５は、小型、軽量、乾電池等の低電力タイプを使用する。【００１５】  ファンの吹出口６は、周囲の空気への拡散を図るためスリットを設けものが適している。【００１６】  次に、上記構成のタバコフィルターの操作について説明する。傘１を開きファンを起動させる。フード内の空気がファン５へ流れ吹出口６から周囲へ排出される。ファンが起動した後、徐々にフード３の下部スカートと傘１のシートとの隙間が狭まりシールされることでスカート下部からの外気進入が抑えられ、傘１の頂部に設けた通気孔２を通り傘１内側の外気が安定してフード内部へ導かれる。通風が安定した後に傘の中で喫煙を行うと、タバコの煙は、外気と共に傘の中を上昇し、傘１頂部の通気孔２を通りフード３の中に入り、フィルター４を通過し浄化されファン５に導かれ吹出口６から周囲へ拡散される。
【図面の簡単な説明】
【００１７】
【図１】タバコフィルターの断面図である。
【図２】タバコフィルターの斜視図である。
【図３】タバコフィルターの分解斜視図である。
【符号の説明】
【００１９】１  傘
２  通気孔
３  フード
４  フィルター
５  ファン
６  吹出口
【図１】
2010046456.tif 000003
【図２】
2010046456.tif 000004
【図３】
2010046456.tif 000005
(57)【要約】【課題】  従来のゴルフカードは、自分と同伴者のスコアのみの記録であり、自分の各ホ−ルにおけるプレイの状況や評価及びパットの結果を記録することができず、技術の向上にならなかった。【解決手段】  自分と同伴者のゴルフスコアの記載のほか、自分の目標と反省、パット数と強弱の状況、各ホ−ルの結果メモと評価を記載できるゴルフのスコアカ−−ドである。【選択図】図４
2010046452.tif 000002
【特許請求の範囲】
【請求項１】
ゴルフスコアの記載のほか、目標と反省、パット数とパットの強弱の状況及び各ホ−ルの結果メモと評価を記載できるゴルフのスコアカ−ド。
【発明の詳細な説明】
【技術分野】
【０００１】  この発明は、ゴルフのプレイの結果内容がわかり、技術が向上するゴルフのスコアカ−ドである。
【背景技術】
【０００２】  従来は、各ゴルフ場ごとに備え付けられたスコアのみを記載するスコアカ−ドを使用していた。
【発明の開示】
【発明が解決しようとする課題】
【０００３】  そのために、次のような問題点が生じていた。
１  ゴルフのスコアカ−ドは、自分と同伴競技者のスコアを記録しているが、自分の      ミスや欠点等を記録メモすることができなかった。
２  多くのゴルフプレイヤ−は、技術向上の目標を持って練習やプレイをしているが      、自分の欠点や原因を知らないままに、プレイを続けていることが多かった。
本発明は、以上の問題点を解決したものである。
【課題を解決するための手段】
【０００４】  スコアの記載のほか、目標と反省、パット数とパットの強弱の状況、各ホ−ルの結果メモと評価を記載できるゴルフのスコアカ−ドとする。
以上の構成からなる「プレイの結果内容がわかり、技術が向上するゴルフスコアカ−ド」である。
【発明の効果】
【０００５】  したがって、自分としてのゴルフプレイの目標を設定して、プレイ中のミスやパットの内容、各ホ−ルの状況や評価を記録することができ、プレイの終了後に振り返り、反省することができ、技術の向上ができるものである。
【発明を実施するための最良の形態】
【０００６】  以下、本発明の実施の形態について説明する。
１  ４枚８頁からなる冊子の紙状のスコアカ−ドを設け、二カ所をホチキス止めして      綴る。
２  １頁には、日・天気、場所、メンバ−とハンディキャップ及び備考欄を記載でき      るように印刷をする。
３  ２頁には、本日の目標▲１▼▲２▼▲３▼、本日の反省▲１▼▲２▼▲３▼を記      載できるように印刷する。
４  ３頁及び６頁には、各ホ−ルごとの１８ホ−ル分の内容の記録と総合評価を記載      できるように印刷する。
５  ４頁及び５頁には、コ−ス名、月日、前後半のスタ−ト時刻、カ−ド番号、競技      者並びに同伴者、各ホ−ルのハンディキャップ（ＨＤ）、パ−スコア数（ＰＲ）、      同伴者のスコア、自分のスコア（ＳＫ）、パ−スコアに対する±、パット数（ＰＴ      ）とその内容▲１▼▲２▼を記載できるように印刷をする。
なお、４頁と５頁は見開き状態で使用するものである。
６  ７頁及び８頁は白紙である。
本発明は、以上の構成からなる「プレイの結果内容がわかり、技術が向上するゴルフ  スコアカ−ド」である。
以下、使用法について説明する。
ゴルフのプレイ前に、前記スコアカ−ドの１頁にプレイ日、天気、場所、メンバ−名  及びハンディキャップを記載し、２頁の本日の目標、４頁及び５頁に月日、スタ−ト時  刻、カ−ド番号及び競技者名を記載する。
更に、各ゴルフ場に備え付けのスコアカ−ドに基づき、ホ−ルのハンディキァップの  難易度を確認しながら数値を記載し、パ−プレイ数を記載する。
プレイ中は、自分と同伴者のスコアの内容、パ−に対する＋−数、パットについては  その良否と強弱の状況（例＝弱は○に×、強は○に○）を記載する。
３頁及び５頁の各欄へは、各ホ−ルの内容を記載（例＝１−ＯＫ、２−ショ−トで左  、３パット）するとともに、自己評価（例＝○、△、×）を記載する。
１頁の本日の反省には、プレイ終了後に、プレイを振り返り、本日の反省として気付  いたことや同伴者からの助言等を記載する。
自分の欠点や原因等を把握することができ、技術の向上ができるものである。
【図面の簡単な説明】
【０００７】
【図１】本発明の１頁図
【図２】本発明の２頁図
【図３】本発明の３頁図
【図４】本発明の４頁図
【図５】本発明の５頁図
【図６】本発明の６頁図
【図７】記載内容を省略した斜視図
【図１】
2010046452.tif 000003
【図２】
2010046452.tif 000004
【図３】
2010046452.tif 000005
【図４】
2010046452.tif 000006
【図５】
2010046452.tif 000007
【図６】
2010046452.tif 000008
【図７】
2010046452.tif 000009
(57)【要約】      （修正有）【課題】絵、文字を描くのに筆にもブラシにも使用できブラシの角度も変える事が出来るブラシ付き絵筆柄を提供する。【解決手段】支持本体１に自在連結支持線２を埋設しブラシヘッド３と同じく埋設して連結しブラシ４を定着した先に筆先５を定着して設ける。筆先５は先端の形状を凹にしてあり絵、文字を描いても通常の筆では、表せない物を描く事が出来る。筆の握り部の下部から樹脂やある程度の太さの針金を施工し角度を変える事が出来る、ブラシ４と筆先５を備えた事を特徴とするブラシ付き絵筆柄である。【選択図】図３
2010046453.tif 000002
【特許請求の範囲】
【請求項１】
支持本体１に筆先５を定着し連結支持部６を設けブラシヘッド３にブラシ４を定着した事を特徴するブラシ付き絵筆柄。
【請求項２】
支持本体１に自在連結支持線２を設けブラシヘッド３に埋設しブラシ４と筆先５を定着した事を特徴する請求項１のブラシ付き絵筆柄。
【発明の詳細な説明】
【技術分野】
【０００１】    本発明は、絵・文字を書く時に筆にもなり、筆用ブラシにもなり幅広く使え、直線・曲線も自由自在に描く事が出来るブラシ付き絵筆柄に関するものである。
【背景の技術】
【０００２】    従来、絵、文字を描く時は、太い筆や細い筆を使い分けて使用していたが、なかなか思うように表現できない箇所が沢山あった。
【発明が解決しようとする課題】
【０００３】    従来の、筆は動物の毛を筆先に定着させ、丸型にし先端を細くしたものや平型状にしたものが多く、筆先が決まっているので面白みを出すのが容易で、なかった。以上の問題点を解決するための者でる。
【課題を解決するための手段】
【０００４】    筆の先端に固めの毛状の物を先端部を凹に定着させ、その筆の反対側にある程度の太さにした先にブラシを設けた事を特徴とするブラシ付き絵筆柄である。
【０００５】    筆の持ち部先にある程度の太さの針金を差込み。その先端にブラシを設けブラシの先を凹にしブラシヘッドの先に固めのブラシを定着し先端部を凹にした事を特徴とするブラシ付き絵筆柄である。
【発明の効果】
【０００６】    ブラシに絵具を付けトントンたたく動作や直線及び曲線等で面白い図柄を表現する事ができる。
【発明を実施するための最良の形態】
【０００７】  以下、本発明の実施の形態について図面を参照して説明する。
図１の支持本体１の上部に筆先５を定着させ、連結支持部６を設けブラシヘッド３を定着しブラシ４を定着させる。【０００８】  図３の、支持本体１に自在連結支持線２を埋設しブラシヘッド３と同じく埋設して連結しブラシ４を定着した先に筆先５を定着して設ける。【０００９】  図１の連結支持部６は樹脂の棒状でありブラシヘッド３と本体支持部１のあいだを約７０度の熱で温めると本人の手に合った角度を要られる為に、使用するのに最も適した状態で絵、文字を描く事が出来る。【００１０】    図３の、自在連結支持線６を設けた事により支持本体１とブラシヘッド３の間を本人の使用しやすい角度に曲げる事が簡単に出来る。図１と図３の角度は通常は１３５°に設定してある。【００１１】    図１と図３の筆先５は先端の形状を凹にしてあり絵、文字を描いても通常の筆では、表せない物を描く事が出来る。【００１２】    図１と図３のブラシ４は毛先の形状を凹にしてあり絵、文字を毛先でたたいたり引いたり押したり回したりして今までにない物を描く事が出来る、本発明のブラシ付き絵筆柄は今まで表現できない柄を表現する。【００１３】    図３の筆先５は自在連結支持線２を支持本体１に垂直に伸ばす事により図１の筆先５の用に使用できる。
【図面の簡単な説明】
【００１３】
【図１】  本発明の側面図
【図２】  本発明の平面図
【図３】  本発明の一部を切り欠いた側面図
【図４】  本発明の一部を切り欠いた平面図
【符号の説明】
【００１４】１  支持本体
２  自在連結支持線
３  ブラシヘッド
４  ブラシ
５  筆先
６  連結支持部
【図１】
2010046453.tif 000003
【図２】
2010046453.tif 000004
【図３】
2010046453.tif 000005
【図４】
2010046453.tif 000006
(57)【要約】【課題】箱状容器の線香受けは、線香受けに火がついた線香を置いたまま放置するときは、線香や灰が周囲に飛散して火災の原因になるためにフードを被せているが、一度フードを被せると後に線香を追加したり、線香をかたずけるときにフードをその都度外さなければならないという煩わしさがあった。  本発明は、強風にも線香が飛散することがなく、火災の危険が無いカバー付き線香皿を提供する。【解決手段】香炉の上面に底板が長方形状のカバー体を載置し、底板の中央に底面に貫通する開口部を設け、底板の長手方向の両側に蝶番を介して内側に曲折自在になる湾曲したカバーを設け、両側のカバーを内側に曲折したとき中央に細長状のすき間が形成され、カバーはすき間を介しながら全体は湾曲状に形成され、カバーは全面に複数の貫通孔を設ける。以上の構成よりなるカバー付き線香皿。【選択図】図１
2010046457.tif 000002
【特許請求の範囲】
【請求項１】
香炉の上面に底板が長方形状のカバー体を載置し、底板の中央に底面に貫通する開口部を設け、底板の長手方向の両側に蝶番を介して内側に曲折自在になる湾曲したカバーを設け、両側のカバーを内側に曲折したとき中央に細長状のすき間が形成され、カバーはすき間を介しながら全体は湾曲状に形成され、カバーは全面に複数の貫通孔を設ける。以上の構成よりなるカバー付き線香皿。
【発明の詳細な説明】
【技術分野】
【０００１】  本発明は墓参りのとき墓前に供える線香が火災の原因にならないように、線香受け皿を覆うカバー付き線香皿に関するものである。
【背景技術】
【０００２】  従来より墓参りをする場合は、墓前に線香を供えている。一般的には、縦型筒状の容器に数本の線香を立てたり、あるいは横長の箱に複数の線香を寝かせるように置いている。
しかし風に線香の灰が飛ばされて周囲を汚したり、火がついたままの線香が飛散して火災の原因になるために、箱状の線香受けの表面に冠着する湾曲したフード状の網のカバーを設けているものが知られている（特許文献１）。
【特許文献１】特開２００２−２５６７３２号公報
【発明の開示】
【発明が解決しようとする課題】
【０００３】  （イ）箱状容器の線香受けは、線香受けに火がついた線香を置いたまま放置するときは、線香や灰が周囲に飛散して火災の原因になるためにフードを被せているが、一度フードを被せると後に線香を追加したり、線香をかたずけるときにフードをその都度外さなければならないという煩わしさがあった。
（ハ）強風のときは、火がついた線香をフードでカバーして飛散を防いでいるが、線香を補充するときにフードを開けると、線香受け皿が強風にさらされて線香が飛散して火災の危険を解決できなかった。
本発明は以上の問題点を解決しようとするものである。
【課題を解決するための手段】
【０００４】  香炉（６）の上面に底板（２）が長方形状のカバー体（Ａ）を載置し、底板（２）の中央に、底面に貫通する開口部（４）を設ける。底板（２）の両側に蝶番（３）を介して内側に曲折自在になる湾曲したカバー（１ａ）（１ｂ）を設け、カバー（１ａ）とカバー（１ｂ）を内側に曲折したとき中央に細長状のすき間（９）が形成され、カバー（１）はすき間（９）を介しながら全体は湾曲状に形成される。カバー（１）は全面に複数の貫通孔（５）を設ける。
本発明は以上の構成よりなるカバー付き線香皿。
【発明の効果】
【０００５】  本発明は、受け皿に複数おいた線香をカバーで覆うために、強い風が吹いているときも線香が飛散することがなく、火災の危険が無い。
本発明のカバーは両側から曲折自在にして線香受け皿を覆うものであり、カバーを両側に開くことによりカバーの上面の中央に横長上のすき間ができる。したがって両側に開いたカバーが防風の役目をしながら、上面中央のすき間より線香を補充することができる。またカバーの内側にたくさんの線香を山盛り状に収容させても、カバー体の外側にこぼれることがない。
とくに強風のときは、カバーを開かなくても中央には少しのすき間があり、新たな線香を補充することが可能である。このために、カバー全体を受け皿から取り外す必要がないので、従来の線香受け皿を覆うフードを外したときに強い風に線香受け皿がさらされて線香が飛散するというようなことがない。
【発明を実施するための最良の形態】
【０００６】  本発明を実施するための最良の形態を図１及び図２について説明する。
（イ）上面を開放した横長状の函体からなる香炉皿（６）の上面に開口面と同形状でやや小さめの金属網（７）を載置する。
（ロ）金属網（６）の上面に金属材からなるカバー体（Ａ）を載置自在に設ける。
（ハ）カバー体（Ａ）の底板（２）は香炉皿の開口面と同形状の長方形であり開口面に入れて金属網（７）の上面に載置しすいようにやや小さく形成されている。
（二）底板（２）の中央に、底面に貫通する開口部（４）を設ける。
（ホ）底板（２）の長手方向の両側に蝶番（３）を介して内側に曲折自在になる湾曲した長尺状のカバー（１ａ）（１ｂ）を設ける。
（ヘ）カバー（１ａ）とカバー（１ｂ）を内側に曲折したとき中央に細長状のすき間（９）が形成され、カバー（１）はすき間（９）を介しながら全体は湾曲状に形成される。
（ト）カバー（１）は全面に複数の貫通孔（５）を設ける。
（チ）香炉皿（６）の側壁は貫通する横孔（８）を複数設ける。
本発明は以上の構造よりなる。
本発明を使用するときは、香炉皿（６）の開口面に金属網（７）を載せ、金属網（７）上にカバー体（Ａ）を載置する。カバー体（Ａ）の両側のカバー（１ａ）（１ｂ）を外方向に開くことにより、線香（１０）の複数をカバー体（Ａ）に束ねて寝かせて置き、両側のカバー（１ａ）（１ｂ）を内側に倒す。これにより、線香（１０）が風で飛散することはない。また、燃えて灰となった線香（１０）は開口部（４）より下へ落ちて、金属網（７）を抜けて香炉皿（６）に受けられる。
新たな線香を補充するときは、両側のカバー（１ａ）（１ｂ）を開いてカバー体（Ａ）に入れることができる。強風が激しいときは両側のカバー（１ａ）（１ｂ）を閉じたままですき間（９）よりカバー体（Ａ）内部に線香を差し入れることができる。
【図面の簡単な説明】
【０００７】
【図１】本発明の使用状態を示す斜視図
【図２】本発明のカバー体の斜視図
【図３】本発明の香炉皿と金属網の分離斜視図
【図４】本発明の側面透視図
【符号の説明】
１、  カバー
２、  底板
３、  蝶番
４、  開口部
５、  貫通孔
６、  香炉皿
７、  金属網
８、  横孔
９、  すき間
１０、  線香
【図１】
2010046457.tif 000003
【図２】
2010046457.tif 000004
【図３】
2010046457.tif 000005
【図４】
2010046457.tif 000006
(57)【要約】【課題】  我々は加齢とともに、運動量が少なくなり筋力も衰え、足腰も弱りがちになる、また、脊椎を支える椎間板も水分が減少して弾力性が無くなり、腰痛の一因にもなってくる、そこで、歩くという行為だけでそれらの問題点が改善、解消できないかを、又、そういう靴が無いかを課題として研究開発を進めた。【解決手段】  足の筋肉を使う散歩やジョギングなどは健康面にて大変よいことであるが、それが短時間であったり、ゆっくり歩行などでは運動量、筋力稼動面での肉体的負荷は少なすぎる、そこで歩行上の連帯道具である靴の底の形状を変え、又、歩行時の姿勢を少し変化させることで、短時間でも十分な運動量をもたらし、又、強制伸筋運動、ストレッチング効果、同時に背筋がピンと伸びる姿勢になるため、腰が曲がることを予防し、腰痛防止、健体効果を生み出すものである。【選択図】図２
2010046455.tif 000002
【特許請求の範囲】
【請求項１】
つま先部を高くして、又、歩行の際ヒザを伸ばして歩くことでストレッチング効果を生み出す、腰痛予防、健脚、健体を目的としたつま先高靴（トゥアップシューズ）
【発明の詳細な説明】
【技術分野】
【０００１】  本発明は腰痛予防、健脚、健体の促進を目的とし、ふくらはぎを中心として足、腰の筋肉を伸張し、ストレッチング効果を生み出すつまさき高の運動用靴に関する。
【背景技術】
【０００２】  従来の運動靴は長時間の歩行、ジョギングにも足元の疲労が少なくなるよう中敷の形状、その柔軟性、ゴムの反発力などに研究改良がなされ、また、前進歩行が前提のため、歩きやすさを求めるので、かかとが高くつま先が低く、という形状が主であり、歩き方もひざを曲げて歩くのが基本である。【０００３】  また、身長を高く見せるよう、男女とも極端に高いかかと甲高靴や、逆に、スリッパにおいては、健康、健脚を目的とした、必然的につまさき歩きになるようかかと部分がカットされた商品などもある。
【発明の開示】
【発明が解決しようとする課題】
【０００４】  以上に述べた従来の靴は、歩行が快適にかつ長距離を歩いて健康促進という、靴を通しての間接的な主旨となり、また、短時間のゆっくりした歩行だとカロリー消費も少なく筋肉の伸張運動の面でも、また、腰痛予防、健脚効果、脚部の筋繊維の強化の面でも不十分である。【０００５】  本発明は、そうした欠点を無くすため、また、靴そのものが筋力効果、健脚訓練となるように直接的な働きをもつため、靴及び歩き方に研究を重ねた。
【課題が解決するための手段】
【０００６】  筋肉や関節が硬くなり、屈伸運動にて腰が十分曲がらないときでもストレッチングボードに膝を伸ばして３０度程度の角度にて、つま先を上げた状態で１分程度乗るだけでも、腰まわりの筋肉、関節が柔らかくなり、屈伸力の向上につながる、また、背筋をピンと伸ばすことにもなる。本発明品は膝を伸ばして歩くことにより、上述した効果のみならず歩くという脚部の筋力を使うことでさらなる相乗効果をもたらし、日々短時間、継続的に歩行訓練を行うことで、強制的な伸筋運動となり、腰まわりの筋膜の強化につながり、そこで腰痛予防にもなる。
【発明の効果】
【０００７】  上述したように本発明は、歩行用としては非常に不適なため、逆にただ歩くという行為だけで、通常歩行とは比べ物にならない筋肉運動を伴い、身体全体の伸筋運動となり、背筋もピンと伸び、ストレッチ、ヨガ運動にも匹敵する行為である、結果、持久力の筋肉といわれる遅筋繊維の老化を防ぎ、血液運搬を司る赤色筋の活性化につながり、足腰の強化、血液のサラサラ化を促進して、腰痛予防、健体効果をもたらすことになる。
【発明の実施するための最良の形態】
【０００８】  各靴メーカーにてもこの種の形状での少数のテスト生産に難色を示されたので、市販のゴム底の靴を多数購入して、ゴム底部を分離加工して、図２の形状による試作品にて、歩行訓練を行った。職業上、同一姿勢にて長時間仕事をする腰痛もちのタクシー運転手さん中心に５０代５名、６０代６名にて、本発明品にて歩行訓練してもらった、最初は大変歩きにくく、思うように歩幅も取れなかったが、３〜４日頃から歩行に対しての違和感もうすれ、また、強制伸筋運動を伴うため、最初の２〜３分をウォーミングアップ時間とし、その後、５分間を一週間で、２週目には７分間、３週目以降１０分間で、１日２回歩行訓練をしてもらったところ、４週目以降、歩幅も伸び、また、一歩目から４歩目まで大きく息を吐き、５〜６歩目にて大きく息を吸う腹式呼吸、有酸素運動さえできるようになった。それ以降各自全員が続けています、また、一部の人はより負荷がかかるよう、つま先をより高くして歩行運動を行っている。その結果１１名中１０名の方々が腰痛を感じる周期が大きく延びたり、痛みがうすれたりとの効果を得、また、その後の血液検査にて、血糖値が下がり、中性脂肪値が下がるなどの効果にもつながった。これは運動不足が解消され、伸筋運動によるヨガ効果にての血液のサラサラ化、血行促進に伴う血液循環の十分な適正化によるものである。
【０００９】  したがって、運動不足、足腰の弱ってきた高齢者などが段階的に２分、３分、５分とリハビリ的に歩行訓練を日々励行することで足腰の強化につながり、血行促進による適正な血液循環効果をもたらし、健康体へと体質が改善するため、国の高齢者健康促進対策の十分な一助となり、医療費軽減効果をももたらすことになる。又、室内においてはつま先部にゴムなどで足下を３ｃｍ〜６ｃｍ位まで高くした素材を調整のきくマジックテープで足上で止めるトゥーアップバンドでひざを伸ばし室内を歩き回ることでも上述した効果が得られることになる。
【図面の簡単な説明】
【００１０】
【図１】靴の中敷のつま先部を高く、３０度程度の傾斜加工をほどこした断面図
【図２】
2010046455.tif 000003
【符号の説明】
【００１１】  １  中敷高靴の断面図  ２  靴底高の側面図
【図１】
2010046455.tif 000004
【図２】
2010046455.tif 000005
(57)【要約】      （修正有）【課題】野原や田畑に自生するすべりひゆを食用とするために方法を提供する。【解決手段】野原や田畑に自生するすべりひゆを販売し、食用にすることにより、経済的利益を上げ、尚かつ人々の健康に貢献することもできる。【効果】厄介者になっていたすべりひゆを販売するということにより、経済的利益を上げることができ、なおかつ人々の健康効果に貢献することもできる。すべりひゆは、胃腸の調子を良くしたり、その他様々な効果のある食物である。【選択図】なし【特許請求の範囲】
【請求項１】
野原や田畑に自生する、すべりひゆを食用として販売する方法
【発明の詳細な説明】
【発明の詳細な説明】
【技術分野】
【０００１】  本発明は、野原や田畑に自生するすべりひゆを食用とするために収穫販売するものである。
【背景技術】
【０００２】  従来の技術は、作物を育て販売するには、大きな耕地を必要とし、畑を耕し、肥料をやるなど、大きな経費と手間を必要とした。また、すべりひゆは、作物を作る際排除しなくてはならない雑草なので大きな負担となっていた。
【発明が解決しようとする課題】
【０００３】  本発明は、すべりひゆという雑草を取り除く手間を効果へと変えれば良いと考えた。
【課題を解決するための手段】
【０００４】  上記目的を達成するため、本発明は、それを収穫し、販売することにした。
【発明の効果】
【０００５】  本発明は、次に記載する効果を奏する。
請求頃１の方法に於いては、この方法を実施することにより、厄介者になっていたすべりひゆを販売するということにより、経済的利益を上げることができ、なおかつ人々の健康効果に貢献することもできる。すべりひゆは、胃腸の調子を良くしたり、その他様々な効果のある食物である。
【手続補正書】
【提出日】平成20年9月22日(2008.9.22)
【手続補正２】
【補正対象書類名】特許請求の範囲
【補正対象項目名】全文
【補正方法】変更
【補正の内容】
【特許請求の範囲】
【請求項１】
野原や田畑に自生する、すべりひゆを食用として販売する方法。
【請求項２】
雑草である、すべりひゆを農地を用いて栽培し、販売する方法。
【手続補正３】
【補正対象書類名】明細書
【補正対象項目名】全文
【補正方法】変更
【補正の内容】
【発明の詳細な説明】
【発明の詳細な説明】
【技術分野】
【０００１】  本発明は、野原や田畑に自生する、すべりひゆを食用とするために収穫販売をするものである。
また、大量に収穫するために農地を用いて栽培するものである。
【背景技術】
【０００２】  従来の技術は、作物を育て販売するには、畑を耕し、肥料をやるなど大きな手間を必要として大変だった。また、この雑草は他の作物を作る際、排除しなくてはならないので大きな負担になっていた。
【発明が解決しようとする課題】
【０００３】  本発明は、作物を育てる手間を軽減したい。またこの雑草を取り除く負担を何らかの効果へと変えたい。
【課題を解決するための手段】
【０００４】  上記目的を達成するため本発明は、自生するすべりひゆに関しては、収穫し販売することにした。単なる負担を経済的効果へと変えるのである。また手間なしでより多くのすべりひゆを収穫したいという目的に関しては、農地を用い、栽培することにした。
【発明の効果】
【０００５】  本発明は、次に記載する効果を奏する。
請求項１の方法に於いては、この方法を実施することにより、厄介者になっていたすべりひゆを販売することにより、経済的な利益を上げることが出来、購入者の健康効果を上げることもできる。このすべりひゆは、数々の健康効果のある植物なので、廃棄していては勿体ないのである。請求項２の方法に於いては、この方法を実施することにより、大量のすべりひゆをコンスタントに、半永久的に収穫することができる。
(57)【要約】【課題】液体物質を多孔物質に含有させて得る顆粒、粉末の製造法は，高額な設備投資を押さえ、比較的簡単な装置を用い、常温作業で攪拌混合技術でもって大量生産することができ、諸効果のあることを特徴とした。【解決手段】本発明は、上記諸課題を解決し、地域の天然資源を活用することにより地域事業を育成し、さらに地域の産業開発となる。【特許請求の範囲】
【請求項１】
木酢液を珪藻土の一定焼成顆粒に含有させて得たことを特徴とする木酢顆粒。
【請求項２】
木酢液を珪藻土の一定焼成粉末に含有させて得たことを特徴とする木酢粉末。
【請求項３】
木酢液を貝殻の一定焼成顆粒に含有させて得ことを特徴とする木酢顆粒。
【請求項４】
木酢液を貝殻の一定焼成粉末に含有させて得たことを特徴とする木酢粉末。
【請求項５】
前記を常温状態で請求項の１から５を用途に応じて比率含有攪拌混合を特徴とした木酢顆粒、木酢粉末の製造方法。
【請求項６】
同様にて液状物質を珪藻土、貝殼、澱粉等に含ませて顆粒、粉末に含有反応させることにより、同等の成果を得ることを特徴とした製造方法。
【発明の詳細な説明】
【技術分野】
【０００１】本発明は、液体物質の取扱、保管、輸送等における省力化，省スペースの合理化として、顆粒物質、粉末物質の利便性に関するものである。
【背景技術】
【０００２】液状物質の流出事故は、依然と発生し、液体物質の性状対策に新規性のないままの産業活動が実態である。用途、活用によって積極的に効果が追求でき得る技術を提供する。
【発明の開示】
【発明が解決しようとする課題】
【０００３】前記従来、液体物質は、液体のまま用いられてきたが、液体の場合は，高額の容器、設備投資を要しているが、本発明の、顆粒、粉末加工によって簡単、確実、しかも添加、混合、攪拌攪が一体型でもって効果が得られる。【０００４】本発明は、このような実状に鑑みなされたものであり，液体物質を微細な気孔に保持させる技術開発でその提供を目的とする。
【課題を解決するための手段】
【０００５】課題を解決するため、本発明技術は、有効成分を天然物質の多孔質構造に活用を図ったことによって合理的構成が得られ、この発明に到達した。
【発明の効果】
【０００６】以上のように、本発明技術は、有効成分を無駄なく発揮され環境への影響を低減するのを目的とする。主材料は、地域資源の利用技術となり地域産業に貢献をする。【０００７】天然素材の有用な特徴と細孔部の活用は、吸着保持効果に優れた用材を得ることができた。【０００８】多孔質に液体物質を含有させることにより、安定、安全しかも経済性に優れた実用用材ができた。しかも、天然資源の活用から安定供給ができ、規模の自在設定ができることを特徴とする。
【発明を実施するための最良の形態】
【０００９】本発明は、珪藻土を焼成顆粒、粉末メッシュ、貝殻を焼成顆粒、粉末メッシュ、その他の多孔質素材を活用し、目詰まりのない特性吸着効果を得る。【００１０】上記技術でもって、液体物質の固定化が容易に出来ることを特徴とした。
【産業上の利用可能性】
【００１１】本発明の、液体物質を固形物質に成形処理をする製造方法は、保管、梱包、運搬等の合理化ならびに作業能率に関する。